(57)【要約】  物品の運搬中に容器内の環境から得た環境履歴を提供し、物品の運搬ルート等を含む運搬状況を把握し、リアルタイムに物品の品質管理を行うことにある。物品管理サーバ９は、ＧＰＳ受信部３７から受信した位置データと機器コードを関連付けて第２記憶部に記憶し、配送用ユニット１７から定期的又は／及び不定期に受信した温度データをユニット番号毎に関連付けて第３記憶部に記憶し、ユニット番号と物品に係わるシリアル番号を関連付けて第４記憶部に記憶し、運搬状況データ生成部９ａが、あるユニット番号と機器コードの一組をキーとして、機器コードに対応して第２記憶部から取得した位置データ、及びユニット番号に対応して第３記憶部から取得した温度データ、ユニット番号に対応して第４記憶部から取得したシリアル番号に基づいて、運搬中の物品のシリアル番号、位置データ及び温度データを表す運搬状況データを生成する。
2020003371.tif 000002
【特許請求の範囲】
【請求項１】
収容した物品を冷媒により冷却する容器を配送する為の配送用ユニットと、通信ネットワークを介して運搬中の前記配送用ユニットと通信する物品管理サーバと、を備えた配送管理システムであって、
前記配送用ユニットは、
複数のＧＰＳ衛星から夫々のＧＰＳ信号を受信するとともに、夫々のＧＰＳ信号に基づいて配送用ユニットの位置データを算出して、前記位置データに固有の機器コードを付加して物品管理サーバに送信するＧＰＳ受信手段と、
前記容器内の温度を測定する温度測定手段と、
前記温度測定手段により測定された温度データを時系列に沿って記憶する第１記憶手段と、
前記第１記憶手段から取得した温度データに前記配送用ユニットに係わるユニット番号を付加して定期的、又は／及び、不定期に前記通信ネットワークを介して前記物品管理サーバに送信する第１送信手段と、を備え、
前記物品管理サーバは、
前記ＧＰＳ受信手段から受信した前記位置データと前記機器コードを関連付けて記憶する第２記憶手段と、
前記配送用ユニットから定期的、又は／及び、不定期に受信した前記温度データを前記ユニット番号毎に関連付けて記憶する第３記憶手段と、
前記ユニット番号と前記物品に係わるシリアル番号を関連付けて記憶する第４記憶手段と、
あるユニット番号と機器コードの一組をキーとして、前記機器コードに対応して前記第２記憶手段から取得した位置データ、及び前記ユニット番号に対応して前記第３記憶手段から取得した温度データ、前記ユニット番号に対応して第４記憶手段から取得したシリアル番号に基づいて、運搬中の前記物品のシリアル番号、位置データ及び温度データを表す運搬状況データを生成する運搬状況データ生成手段と、
を備えたことを特徴とする配送管理システム。
【請求項２】
前記配送用ユニットは、
前記冷媒の残量に係わる残量データを測定する残量検出手段、
路面から前記容器に加わる振動に係わる振動データを測定する振動測定手段、
前記容器内の湿度に係わる湿度データを測定する湿度測定手段、
又は、前記容器に設けられた蓋の開閉回数データを計数する開閉回数計数手段の少なくとも１つを備え、
前記第１記憶手段は、前記温度データに、前記残量データ、前記振動データ、前記湿度データ、又は前記開閉回数データの少なくとも１つと、日時データを付加して記憶することを特徴とする請求項１記載の配送管理システム。
【請求項３】
前記配送用ユニットは、
前記第１記憶手段から取得した前記温度データ、及び日時データに加えて、前記残量データ、前記振動データ、前記湿度データ、又は前記開閉回数データの少なくとも１つに基づいて、当該物品に係わる品質データを生成する品質データ生成手段と、
前記シリアル番号、及び前記品質データを含む画像を記録媒体に印刷することにより品質証明書を作成する印刷手段と、を備えたことを特徴とする請求項２記載の配送管理システム。
【請求項４】
前記配送用ユニットは、
前記温度データ、前記残量データ、前記振動データ、前記湿度データ、前記開閉回数データのそれぞれに係わる閾値を設定する第１閾値設定手段と、
前記第１閾値設定手段により設定された閾値よりも、前記温度データ、前記残量データ、前記振動データ、前記湿度データ、前記開閉回数データの少なくとも１つが危険値側に移行している場合に、警報音を発生する第１発報手段と、を備えたことを特徴とする請求項２記載の配送管理システム。
【請求項５】
前記配送用ユニットは、
前記第１発報手段が警報音を発生した場合に、前記警報音を発生した旨のメッセージを含む電子メールを関係者の端末に送信することを特徴とする請求項４記載の配送管理システム。
【請求項６】
前記配送用ユニットは、
前記第１発報手段が警報音を発生した場合に、前記警報音を発生した旨の情報を前記物品管理サーバに送信することを特徴とする請求項４記載の配送管理システム。
【請求項７】
前記物品管理サーバは、
前記配送用ユニットから定期的、又は／及び、不定期に受信している前記温度データ及び位置データに係わる受信済データが通信エラーになったか否かを判定する通信エラー判定手段と、
前記通信エラー判定手段により前記通信済みデータが通信エラーであると判定された場合に、前記通信エラーが発生した旨のメッセージを含む電子メールを端末に送信する第４送信手段と、を備えたことを特徴とする請求項１記載の配送管理システム。
【請求項８】
前記物品管理サーバは、
前記物品に係わるシリアル番号を入力するための入力画面データを生成する第１入力画面データ生成手段と、
前記第１入力画面データ生成手段により生成された入力画面データをユーザ端末に配信する第１配信手段と、を備え、
前記運搬状況データ生成手段は、前記ユーザ端末から受信したシリアル番号をキーとして、前記運搬状況データを生成し、
前記第１配信手段は、前記運搬状況データ生成手段により生成された運搬状況データを前記ユーザ端末に配信することを特徴とする請求項１記載の配送管理システム。
【請求項９】
前記物品管理サーバは、
前記第２記憶手段から取得した位置データに基づいて、当該物品に係わる運搬経路を地図データ上に合成した運搬経路地図データを生成する運搬経路データ生成手段を備え、
前記第１配信手段は、前記運搬経路データ生成手段により生成された運搬経路地図データを前記ユーザ端末に配信することを特徴とする請求項８記載の配送管理システム。
【請求項１０】
前記物品管理サーバは、
前記運搬状況データ生成手段により生成された運搬状況データを記憶する第５記憶手段と、
前記物品に係わる温度状況についての確認を促す入力領域を付加した入力画面データを生成する第２入力画面データ生成手段と、
前記第２入力画面データ生成手段により生成された入力画面データを前記ユーザ端末に配信する第２配信手段と、
前記ユーザ端末において入力画面データに付加された入力領域への操作データを前記ユーザ端末から受信する第１受信手段と、
前記第１受信手段により受信した操作データに応じて、シリアル番号をキーとして、前記第５記憶手段から取得した物品に係わる温度データに基づいて、温度状況を表す温度状況データを生成する温度状況データ生成手段と、
前記温度状況データ生成手段により生成された温度状況データを前記ユーザ端末に配信する第３配信手段と、を備えたことを特徴とする請求項６記載の配送管理システム。
【請求項１１】
ユーザ端末を備え、
前記ユーザ端末は、
前記物品管理サーバから入力画面データを受信する第１ユーザ受信手段と、
前記第１ユーザ受信手段により受信した入力画面データに物品に係わるシリアル番号を入力する第１ユーザ入力手段と、
前記第１ユーザ入力手段により入力されたシリアル番号を前記物品管理サーバに送信する第１ユーザ送信手段と、
前記物品管理サーバから前記物品に係わる運搬状況データを受信する第２ユーザ受信手段と、
前記第２ユーザ受信手段により受信した運搬状況データを表示する表示手段と、を備えたことを特徴とする請求項７乃至請求項１０の何れか一項に記載の配送管理システム。
【請求項１２】
前記ユーザ端末は、
前記物品管理サーバから運搬経路地図データを受信する第３ユーザ受信手段と、を備え、
前記表示手段は、前記第３ユーザ受信手段により受信した運搬経路地図データを表示することを特徴とする請求項１１記載の配送管理システム。
【請求項１３】
前記ユーザ端末は、
前記物品管理サーバから前記物品に係わる最新の温度データが付加された運搬状況データを受信する第４ユーザ受信手段と、
前記表示手段は、前記第４ユーザ受信手段により受信した運搬状況データを表示することを特徴とする請求項１１記載の配送管理システム。
【請求項１４】
前記ユーザ端末は、
前記物品管理サーバから前記物品に係わる温度状況についての確認を促す入力領域を付加した入力画面データを受信する第５ユーザ受信手段と、
前記第５ユーザ受信手段により受信した入力画面データに付加された入力領域への操作データを入力する第２入力手段と、
前記第２ユーザ入力手段により入力された操作データを前記物品管理サーバに送信する第２ユーザ送信手段と、
前記物品管理サーバから前記物品に係わる温度状況を表す温度状況データを受信する第６ユーザ受信手段と、を備え、
前記表示手段は、前記受信した前記物品に係わる温度状況を表す温度状況データを表示することを特徴とする請求項１０記載の配送管理システム。
【請求項１５】
前記物品管理サーバは、
前記物品の配送に係わる出発地点から到着地点に至る全経路を配送に係わる業務毎の区間に分割する経路分割手段と、
前記経路分割手段により分割された各区間に対して、前記温度データ、前記残量データ、前記振動データ、前記湿度データ、前記開閉回数データのそれぞれに係わる閾値をマスタテーブルに設定する第２閾値設定手段と、
前記位置算出手段により算出された位置データに基づいて、前記マスタテーブルから当該位置に対応した各閾値を取得する閾値取得手段と、
前記閾値取得手段により取得した各閾値よりも、前記温度データ、前記残量データ、前記振動データ、前記湿度データ、前記開閉状態データの少なくとも１つが危険領域にある場合には、警報音を発生する第２発報手段と、を備えたことを特徴とする請求項１記載の配送管理システム。
【請求項１６】
収容した物品を冷媒により冷却する容器を配送する為の配送用ユニットと、通信ネットワークを介して運搬中の前記配送用ユニットと通信する物品管理サーバと、を備えた配送管理システムによる配送管理方法であって、
前記配送用ユニットは、
複数のＧＰＳ衛星から夫々のＧＰＳ信号を受信するとともに、夫々のＧＰＳ信号に基づいて位置データを算出して、前記位置データに固有の機器コードを付加して物品管理サーバに送信するＧＰＳ受信ステップと、
前記容器内の温度を測定する温度測定ステップと、
前記第１記憶ステップから取得した温度データに前記配送用ユニットに係わるユニット番号を付加して定期的、又は／及び、不定期に前記通信ネットワークを介して前記物品管理サーバに送信する第１送信ステップと、を実行し、
前記物品管理サーバは、
前記温度測定ステップにより測定された温度データを時系列に沿って記憶する第１記憶ステップと、
前記ＧＰＳ受信ステップから受信した前記位置データと前記機器コードを関連付けて記憶する第２記憶ステップと、
前記配送用ユニットから定期的、又は／及び、不定期に受信した前記温度データを前記ユニット番号毎に関連付けて記憶する第３記憶ステップと、
前記ユニット番号と前記物品に係わるシリアル番号を関連付けて記憶する第４記憶ステップと、
あるユニット番号と機器コードの一組をキーとして、前記機器コードに対応して前記第２記憶ステップから取得した位置データ、及び前記ユニット番号に対応して前記第３記憶ステップから取得した温度データ、前記ユニット番号に対応して第４記憶ステップから取得したシリアル番号に基づいて、運搬中の前記物品のシリアル番号、位置データ及び温度データを表す運搬状況データを生成する運搬状況データ生成ステップと、
を実行することを特徴とする配送管理方法。
【請求項１７】
請求項１６に記載された配送管理方法における各ステップをプロセッサに実行させることを特徴とするプログラム。
【発明の詳細な説明】
【技術分野】
【０００１】
本発明は、配送管理システム、配送管理方法、及びプログラムに関する。
【背景技術】
【０００２】
従来、薬品、食品等の物品を容器に収容して配送する過程において、配送中の物品を収容した容器内の温度、湿度等の環境状況がセンサによって自動的に計測され、計測値によって表される環境履歴が物品に付随して伝達されるセンサ情報管理システムが知られている。【０００３】
このような従来のセンサ情報管理システムの一例として、特許文献１が知られている。
特許文献１には、物品の輸送又は保管中に環境から取得した環境履歴を提供することを目的とし、物品には固有のタグ番号を送信する無線タグが付され、その物品を収納するパッケージには、環境の物理量を計測するセンサに接続された第１のノードと、第１のノードが送信した情報を受信する第２のノードとを備えることにより、第１のノードから送信されたタグ番号と計測値を送受信することができる技術が開示されている。
詳しくは、第１のノードは、無線タグにタグ番号の送信を要求し、そのタグ番号を受信するタグ番号読み取り部と、センサが計測した値を読み取る計測値読み取り部と、タグ番号と計測値とを送信する送信部とを備え、第２のノードは、送信部が送信したタグ番号と計測値とを受信する受信部と、受信部が受信した情報を格納する情報格納部と、情報格納部に格納された情報を送受信するノード情報送受信部とを備えて、物品の輸送又は保管中の環境の履歴を提供することにより、確実に品質管理を行うことができるという利点を有している。
特許文献１によれば、流通の途中で物品が仕分けされ、積み替えられても、個々の物品について、流通経路の各段階で経てきた環境の履歴を容易に把握し、確実に品質を管理することができるという効果がある。
【先行技術文献】
【特許文献】
【０００４】
【特許文献１】特開２００５−２８４３４１公報
【発明の概要】
【発明が解決しようとする課題】
【０００５】
しかしながら、特許文献１にあっては、物品の輸送又は保管中に環境から取得した環境履歴を提供することが主な目的であるため、リアルタイムに物品の品質管理を行うことができなかった。
例えば、医療機関等で扱う薬品の在庫管理は、物品の性質上、その取扱いに関しては高い専門性と知識を必要とするばかりでなく、薬品によっては特殊な容器に収納し、且つ厳重に配送することが求められているため、リアルタイムに物品の品質管理を行いたいという要望があった。
そこで、物品を運搬中に容器内の環境から取得した環境履歴を提供するだけでなく、物品の運搬状況までも管理することができる配送管理システムの開発が切望されていた。
本発明は、上記に鑑みてなされたもので、その目的としては、物品を運搬中に容器内の環境から取得した環境履歴を提供するとともに、物品の運搬ルート等を含む運搬状況を把握して、リアルタイムに物品の品質管理を行うことにある。
【課題を解決するための手段】
【０００６】
請求項１記載の発明は、上記課題を解決するため、収容した物品を冷媒により冷却する容器を配送する為の配送用ユニットと、通信ネットワークを介して運搬中の前記配送用ユニットと通信する物品管理サーバと、を備えた配送管理システムであって、前記配送用ユニットは、複数のＧＰＳ衛星から夫々のＧＰＳ信号を受信するとともに、夫々のＧＰＳ信号に基づいて位置データを算出して、前記位置データに固有の機器コードを付加して物品管理サーバに送信するＧＰＳ受信手段と、前記容器内の温度を測定する温度測定手段と、前記温度測定手段により測定された温度データを時系列に沿って記憶する第１記憶手段と、前記第１記憶手段から取得した温度データに前記配送用ユニットに係わるユニット番号を付加して定期的、又は／及び、不定期に前記通信ネットワークを介して前記物品管理サーバに送信する第１送信手段と、を備え、前記物品管理サーバは、前記ＧＰＳ受信手段から受信した前記位置データと前記機器コードを関連付けて記憶する第２記憶手段と、前記配送用ユニットから定期的、又は／及び、不定期に受信した前記温度データを前記ユニット番号毎に関連付けて記憶する第３記憶手段と、前記ユニット番号と前記物品に係わるシリアル番号を関連付けて記憶する第４記憶手段と、あるユニット番号と機器コードの一組をキーとして、前記機器コードに対応して前記第２記憶手段から取得した位置データ、及び前記ユニット番号に対応して前記第３記憶手段から取得した温度データ、前記ユニット番号に対応して前記第４記憶手段から取得したシリアル番号に基づいて、運搬中の前記物品のシリアル番号、位置データ及び温度データを表す運搬状況データを生成する運搬状況データ生成手段と、を備えたことを特徴とする。
【発明の効果】
【０００７】
本発明によれば、物品の運搬中に容器内の環境から取得した環境履歴を提供するとともに、物品の運搬ルート等を含む運搬状況を把握して、リアルタイムに物品の品質管理を行うことができる。
【図面の簡単な説明】
【０００８】
【図１】本発明の一実施形態に係わる配送管理システムの構成を示すブロック図である。
【図２】本発明の一実施形態に係わる物品管理サーバの機能ブロック図である。
【図３】本発明の一実施形態に係わる配送用ユニットを搭載した車両を示す図である。
【図４】本発明の一実施形態に係わる配送用ユニットのハードウェア構成を示す図である。
【図５】本発明の一実施形態に係わるユーザ端末の機能ブロック図である。
【図６】（ａ）は本発明の一実施形態に係わる物品のＧＰＳシステムの構成を示す図であり、（ｂ）はＧＰＳ受信部と配送用ユニットとを関連付けて登録するのに用いるユニット機器マスタメンテ画面を示す図である。
【図７】本発明の一実施形態に係わる温度データ取得システムの構成を示す図である。
【図８】本発明の一実施形態に係わる運搬状況データ生成部により処理されるＧＰＳファイルの関連付けを示す図である。
【図９】本発明の一実施形態に係わる運搬状況データ生成部により処理される温度ファイルの関連付けを示す図である。
【図１０】（ａ）〜（ｃ）は本発明の一実施形態に係わる温度トレース表出力のＰＣ画面フローを表す図である。
【図１１】本発明の一実施形態に係わる温度トレース表出力のフローチャートである。
【図１２】（ａ）〜（ｄ）は本発明の一実施形態に係わる温度トレース表出力の結果を示す図である。
【図１３】本発明の一実施形態に係わる閾値設定のシーケンス図である。
【図１４】本発明の一実施形態に係わる配送用ユニット内のＰＣによる警報発報処理を表すフローチャートである。
【図１５】本発明の一実施形態に係わる監視閾値のＥＲ図である。
【図１６】本発明の一実施形態に係わる通知機能のシステム構成を示す図である。
【図１７】本発明の一実施形態に係わる監視、発報シーケンス図である。
【図１８】本発明の一実施形態に係わる配送用ユニットと物品管理サーバとの間の通信途絶処理を表すフローチャートである。
【図１９】本発明の一実施形態に係わるトレーサビリティのシーケンス図である。
【図２０】（ａ）（ｂ）は本発明の一実施形態に係わる運搬状況データの一例である温度履歴情報の画面遷移図である。
【図２１】本発明の一実施形態に係わる運搬状況データの一例であるユーザ端末に表示される温度履歴のグラフを示す図である。
【図２２】（ａ）（ｂ）は本発明の一実施形態に係わる運搬状況データの一例である位置情報の画面遷移図である。
【図２３】（ａ）（ｂ）は本発明の一実施形態に係わる運搬状況データの一例である位置情報を含む地図画面を示す図である。
【図２４】本発明の一実施形態に係わる物品管理サーバによる位置処理のトレーサビリティのフローチャートである。
【図２５】本発明の一実施形態に係わる経路分割のＥＲ図である。
【図２６】本発明の一実施形態に係わる経路分割シーケンス図である。
【発明を実施するための形態】
【０００９】
以下、本発明を図面に示した実施の形態により詳細に説明する。
本発明は、物品の運搬中に容器内の環境から取得した環境履歴を提供するとともに、物品の運搬ルート等を含む運搬状況を把握して、リアルタイムに物品の品質管理を行うために以下の構成を有する。
すなわち、本発明の配送管理システムは、収容した物品を冷媒により冷却する容器を配送する為の配送用ユニットと、通信ネットワークを介して運搬中の配送用ユニットと通信する物品管理サーバと、を備えた配送管理システムであって、配送用ユニットは、複数のＧＰＳ衛星から夫々のＧＰＳ信号を受信するとともに、夫々のＧＰＳ信号に基づいて位置データを算出して、位置データに固有の機器コードを付加して物品管理サーバに送信するＧＰＳ受信手段と、容器内の温度を測定する温度測定手段と、温度測定手段により測定された温度データを時系列に沿って記憶する第１記憶手段と、第１記憶手段から取得した温度データに配送用ユニットに係わるユニット番号を付加して定期的、又は／及び、不定期に通信ネットワークを介して物品管理サーバに送信する第１送信手段と、を備え、物品管理サーバは、ＧＰＳ受信手段から受信した位置データと機器コードを関連付けて記憶する第２記憶手段と、配送用ユニットから定期的、又は／及び、不定期に受信した温度データをユニット番号毎に関連付けて記憶する第３記憶手段と、ユニット番号と物品に係わるシリアル番号を関連付けて記憶する第４記憶手段と、あるユニット番号と機器コードの一組をキーとして、機器コードに対応して第２記憶手段から取得した位置データ、及びユニット番号に対応して第３記憶手段から取得した温度データ、ユニット番号に対応して第４記憶手段から取得したシリアル番号に基づいて、運搬中の物品のシリアル番号、位置データ及び温度データを表す運搬状況データを生成する運搬状況データ生成手段と、を備えたことを特徴とする。
以上の構成を備えることにより、物品の運搬中に容器内の環境から取得した環境履歴を提供するとともに、物品の運搬ルート等を含む運搬状況を把握して、リアルタイムに物品の品質管理を行うことができる。
上記記載の本発明の特徴について、以下の図面を用いて詳細に解説する。但し、この実施形態に記載される構成要素、種類、組み合わせ、形状、その相対配置などは特定的な記載がない限り、この発明の範囲をそれのみに限定する主旨ではなく単なる説明例に過ぎない。
上記の本発明の特徴に関して、以下、図面を用いて詳細に説明する。
【００１０】
＜配送管理システム＞
図１は、本発明の一実施形態に係わる配送管理システムの構成を示すブロック図である。
以下、同じ構成要件には同じ符号を付して説明する。
配送管理システム１００は、クライアント端末（メーカ）１、クライアント端末（配送先）３、通信ネットワークＮ１，Ｎ２，Ｎ３、物品管理装置５、配送用ユニット１７、物流管理サーバ１９により構成されている。
物品管理装置５は、フロントエンドサーバ７、物品管理サーバ９、データベース（以下、ＤＢと記す）１１により構成されている。
【００１１】
なお、本実施形態ではクライアント端末（メーカ）１、クライアント端末（配送先）３、配送用ユニット１７、及び物流管理サーバ１９が複数で構成されているが、単数でもよい。また、通信ネットワークがＮ１、Ｎ２、Ｎ３と別れているが同一のネットワークで構成してもよい。
【００１２】
フロントエンドサーバ７は、ネットワークＮ１を介してクライアント端末（メーカ）１、クライアント端末（配送先）３からのデータを受信して、クライアント端末（メーカ）１、クライアント端末（配送先）３への直接のアクセスサービスや、表示フォーマットの変更といったことを受け持つ機能を有し、夫々の端末への配信を実行する第１配信部７ａ〜第３配信部７ｃを備えている。
【００１３】
第１配信部７ａは、第１入力画面データ生成部９ｃにより生成された入力画面データをユーザ端末３に配信する。第２配信部７ｂは、第２入力画面データ生成部９ｅにより生成された生成された入力画面データをユーザ端末３に配信する。第３配信部７ｃは、温度状況データ生成部９ｆにより生成された生成された温度状況データをユーザ端末３に配信する（図１参照）。
クライアント端末（メーカ）１は、メーカが操作可能な端末であり、クライアント端末（配送先）３は、配送先が操作可能な端末であり、第１〜第６ユーザ受信部を備えている。
【００１４】
物品管理サーバ９は、通信ネットワークＮ２を介して配送用ユニット１７のデータを受信して、各配送用ユニット１７の状態を管理する。
なお、物品管理サーバ９は、内部にＲＯＭ（Read Only Memory）、ＲＡＭ（Random Access Memory）、ＣＰＵ（Central Processing Unit）、ＨＤＤ（Hard Disk Drive）を有し、ＨＤＤからオペレーティングシステムＯＳを読み出してＲＡＭ上に展開してＯＳを起動し、ＯＳ管理下において、ＨＤＤからプログラム（後述する各種フローチャートで示されるプログラム）を読み出し、各種処理を実行する。
【００１５】
データベース（ＤＢ）１１は、物品管理サーバ９に接続され、第２記憶部１１ｂ〜第５記憶部１１ｅを備えている。
第２記憶部１１ｂは、ＧＰＳ受信部３７から受信した位置データとＧＰＳ受信部３７に固有の機器コードを関連付けてＧＰＳ情報ファイルＦ１に記憶する。
第３記憶部１１ｃは、配送用ユニット１７から定期的、又は／及び、不定期に受信した温度データを配送用ユニット１７に係わるユニット番号毎に関連付けて温度履歴ファイルＦ５に記憶する。
第４記憶部１１ｄは、配送用ユニット１７に係わるユニット番号と物品に係わるシリアル番号を関連付けてトレースファイルＦ７に記憶する。
第５記憶部１１ｅは、運搬状況データ生成部９ａにより生成された運搬状況データを記憶する。ここで、運搬状況データは運搬中の物品のシリアル番号、位置データ及び温度データを表す。詳しくは、運搬状況データ生成部９ａは、温度データについては、温度履歴ファイルＦ５とトレースファイルＦ７によりシリアル温度履歴ファイルＦ９を作成して、記憶する。一方、運搬状況データ生成部９ａは、位置データについては、ＧＰＳ情報ファイルＦ１とトレースファイルＦ７により作成して表示する。
【００１６】
配送用ユニット１７は、複数のＧＰＳ衛星から夫々のＧＰＳ信号をＧＰＳ受信部３７が受信するとともに、夫々のＧＰＳ信号に基づいて位置データを算出して、位置データに固有の機器コードを付加して通信ネットワークＮ２を介して物品管理サーバ９に送信する。
なお、ＧＰＳ受信部３７が有する固有の機器コードは、例えば、ＧＰＳ受信部のＭＡＣアドレス（Media Access Control address）や、予め定められた固有の管理番号であればよい。
物流管理サーバ１９は、各物品を収納する倉庫ごとに配置されるか、或いは複数の物品を収納する倉庫ごとに配置され、物品管理サーバ９からの依頼があると該当する物品をクライアントに出荷するための制御を行う。
【００１７】
＜物品管理サーバの機能ブロック図＞
図２は、本発明の一実施形態に係わる物品管理サーバ９の機能ブロック図である。
運搬状況データ生成部９ａは、トレースファイルＦ７のユニット番号と日時に基づいて、温度履歴ファイルＦ５から温度情報を取得する。さらに、運搬状況データ生成部９ａは、取得した温度履歴ファイルＦ５の情報に、トレースファイルＦ７の物品コード、シリアル番号、ステータスを紐付けて記憶する。
運搬状況データ生成部９ａは、ユーザ端末から受信したシリアル番号をキーとして、運搬状況データを生成し、第１配信部７ａが、運搬状況データ生成部９ａにより生成された運搬状況データをユーザ端末３に配信する。
通信エラー判定部９ｂは、配送用ユニット１７から定期的、又は／及び、不定期に受信している温度データ及び位置データに係わる受信済データが通信エラーになったか否かを判定する。
通信エラー送信部９ｇは、通信エラー判定部９ｂにより通信済みデータが通信エラーであると判定された場合に、通信エラーが発生した旨のメッセージを含む電子メールをクライアント端末１，３に送信する。
【００１８】
第１入力画面データ生成部９ｃは、物品に係わるシリアル番号を入力するための入力画面データを生成する。
第１配信部７ａは、第１入力画面データ生成部９ｃにより生成された入力画面データをユーザ端末３に配信し、運搬状況データ生成部９ａにより生成された運搬状況データをユーザ端末３に配信し、運搬経路データ生成部９ｄにより生成された運搬経路地図データをユーザ端末３に配信する。
運搬経路データ生成部９ｄは、機器コードに対応して第２記憶部１１ｂから取得した位置データに基づいて、当該物品に係わる運搬経路を地図データ上に合成した運搬経路地図データを生成する。
第２入力画面データ生成部９ｅは、第５記憶部１１ｅが運搬状況データ生成部９ａにより生成された運搬状況データを記憶すると、物品に係わる温度状況についての確認を促す入力領域を付加した入力画面データを生成する。
【００１９】
第２配信部７ｂは、第２入力画面データ生成部９ｅにより生成された入力画面データをユーザ端末３に配信する。
第１受信部９ｊは、ユーザ端末３において入力画面データに付加された入力領域への操作データをユーザ端末３から受信する。
温度状況データ生成部９ｆは、第１受信部９ｊにより受信した操作データに応じて、シリアル番号をキーとして、第５記憶部１１ｅから取得した物品に係わる温度データに基づいて、温度状況を表す温度状況データを生成する。
第３配信部７ｃは、温度状況データ生成部９ｆにより生成された温度状況データをユーザ端末３に配信する。
【００２０】
経路分割部９ｍは、物品の配送に係わる出発地点から到着地点に至る全経路を配送に係わる業務毎の区間に分割する。
第２閾値設定部９ｐは、経路分割部９ｍにより分割された各区間に対して、温度データ、残量データ、振動データ、湿度データ、開閉回数データのそれぞれに係わる閾値をマスタテーブル１１に設定する。
閾値取得部９ｒは、ＧＰＳ受信部３７により算出された位置データに基づいて、マスタテーブル２９ａから当該位置に対応した各閾値を取得する。
第２発報部９ｎは、閾値取得部９ｒにより取得した各閾値よりも、温度データ、残量データ、振動データ、湿度データ、開閉状態データの少なくとも１つが危険領域にある場合には、警報音を発生する。
【００２１】
＜車両＞
図３は、本発明の一実施形態に係わる配送用ユニットを搭載した車両を示す図である。
車両２１は、荷台に配送用ユニット１７を搭載している。さらに、配送用ユニット１７は、格納容器２５、無線ルータ２７、パーソナルコンピュータ（以下、ＰＣと記す）２９、プリンタ３１、バッテリ３３、警報装置３５、ＧＰＳ受信部３７、バーコードリーダ３９を備えている。
格納容器２５には、後述する複数のセンサを収容、または取り付けられており、格納容器２５内に収容されている各物品に結び付けられたタグひもの一部が外部に出され、その先端にタグ２３が結び付けられている。
【００２２】
＜配送用ユニット＞
図４は、本発明の一実施形態に係わる配送用ユニットのハードウェア構成を示す図である。
配送用ユニット１７は、格納容器２５、無線ルータ２７、ＰＣ２９、プリンタ３１、バッテリ３３、警報装置３５、ＧＰＳ受信部３７、バーコードリーダ３９、データロガー４１、ＤＣ／ＤＣコンバータ４３、充電器４５、第１閾値設定部４７を備えている。
無線ルータ２７は、車両２１が走行する道路に配置されている複数の３Ｇ／４Ｇ回線にアクセスし、且つＰＣ２９と接続して、ＰＣ２９と物品管理サーバ９とを相互接続する。
ＰＣ２９は、ＣＰＵ２９ａ、ＲＯＭ２９ｂ、ＲＡＭ２９ｃ、操作表示部２９ｄ、通信部２９ｅを備えている。
【００２３】
ＣＰＵ２９ａは、ＲＯＭ２９ｂに予め記憶されるプログラムに従い、ＲＡＭ２９ｃをワークメモリとして用いて、配送用ユニット１７の全体の動作を制御する。
ＲＯＭ２９ｂは、読み出し専用の不揮発性記憶媒体であり、ファームウェア、及び各種データが格納されている。
ＲＡＭ２９ｃは、情報の高速な読み書きが可能な揮発性の記憶媒体であり、ワークメモリとして利用可能である。
操作表示部２９ｄは、各種設定やモード選択を行うためのメニューを表示させる画面やキーボタンなどを備え、ユーザからの種々の操作要求を受け付ける。
通信部２９ｅは、ＵＳＢインターフェースを有し、無線ルータ２７、通信ネットワークＮ２を介して物品管理サーバ９との間でデータを送受信する。
【００２４】
プリンタ３１は、ＰＣ２９から受信した印刷ジョブに従って品質証明書３１ａを用紙等の記録媒体に印刷する。
ＧＰＳ受信部３７は、アンテナＡＮＴ２を介して複数のＧＰＳ衛星から電波信号を受信して配送用ユニット１７の位置情報を算出し、算出した位置情報をアンテナＡＮＴ３、又は／及び、ネットワークＮ２を介して物品管理サーバ９に送信する。なお、図４では、ＧＰＳ受信部３７はＰＣ２９に接続されていないが、ＧＰＳ受信部３７をＰＣ２９に接続して、ＧＰＳ受信部３７が算出した位置情報をＰＣ２９に出力してもよい。
【００２５】
格納容器２５は、内部に複数の物品を収容可能であり、且つ内部又は外部に取り付けられた各種センサＳｅ１〜Ｓｅ５を備えている。
バーコードリーダ３９は、バーコードを読み取って、データをＰＣ２９に出力する。
データロガー４１は、各センサにより計測された計測データを収集して、各種データを保存するとともに、ＰＣ２９の読み出しに応じて、保存した各種データをＰＣ２９に出力する。尚、データロガー４１内には、温度計Ｓｅ１で測定された温度データを時系列に沿って記憶する第１記憶部４１ａがある。
【００２６】
充電器４５は、必要に応じて、例えば車両２１に設けられた交流電源、又は配送センタに設けられた交流電源にプラグ４５ａを介して接続して、交流電源から供給される交流電力を直流電力に変換して、直流電力をバッテリ３３の各電極に接続し、バッテリ３３を充電する。
バッテリ３３は、充電器４５が各電極に接続（ＯＮ）された場合に、充電器４５から供給された直流電力を充電するとともに、充電器４５と各電極との接続が開放（ＯＦＦ）された場合に、直流電力を放電してＤＣ／ＤＣコンバータ４３に供給する。
ＤＣ／ＤＣコンバータ４３は、バッテリ３３から供給される直流電源を例えば４種類の電圧レベル（５Ｖ、１２Ｖ、１５Ｖ、２４Ｖ）の直流電力に変換して、配送用ユニット１７内の各部に供給する。
第１閾値設定部４７は、温度データ、残量データ、振動データ、湿度データ、開閉回数データのそれぞれに係わる閾値を設定する。
【００２７】
温度計Ｓｅ１は、格納容器２５内に設けられ、格納容器２５内の雰囲気温度を計測して、温度データをデータロガー４１に出力する。
残量計Ｓｅ２は、格納容器２５内に設けられ、例えば液体窒素のように液化した冷媒の残量を計測して、残量データをデータロガー４１に出力する。
振動計Ｓｅ３は、格納容器２５外に設けられ、格納容器２５に加わる振動を計測して、振動データをデータロガー４１に出力する。
【００２８】
開閉センサＳｅ４は、格納容器２５内に設けられ、格納容器２５の蓋が開状態にあるか閉状態にあるかを検出して、開閉データをデータロガー４１に出力する。
湿度計Ｓｅ５は、格納容器２５内に設けられ、格納容器２５内の雰囲気湿度を計測して、湿度データをデータロガー４１に出力する。
電圧検知センサＳｅ６は、バッテリ３３からＤＣ／ＤＣコンバータ４３に供給される直流電力の電圧を計測して、電圧データをデータロガー４１に出力する。
電圧検知センサＳｅ７は、充電器４５からバッテリ３３に供給される直流電力の電圧を計測して、電圧データをデータロガー４１に出力する。
【００２９】
＜ユーザ端末の機能ブロック図＞
図５は、本発明の一実施形態に係わるユーザ端末の機能ブロック図である。
第１ユーザ受信部３ａは、物品管理サーバ９から入力画面データを受信する。
第１ユーザ入力部３ｂは、第１ユーザ受信部３ａにより受信した入力画面データに物品に係わるシリアル番号を入力する。
第１ユーザ送信部３ｃは、第１ユーザ入力部３ｂにより入力されたシリアル番号を物品管理サーバ９に送信する。
第２ユーザ受信部３ｄは、物品管理サーバ９から物品に係わる運搬状況データを受信する。
ユーザ表示部３ｅは、第２ユーザ受信部３ｄにより受信した運搬状況データと、第３ユーザ受信部３ｆにより受信した運搬経路地図データと、第４ユーザ受信部３ｇにより受信した運搬状況データと、第６ユーザ受信部３ｋにより受信した物品に係わる温度状況を表す温度状況データとを表示する。
【００３０】
第３ユーザ受信部３ｆは、物品管理サーバ９から運搬経路地図データを受信する。
第４ユーザ受信部３ｇは、物品管理サーバ９から物品に係わる最新の温度データが付加された運搬状況データを受信する。
第５ユーザ受信部３ｈは、物品管理サーバ９から物品に係わる温度状況についての確認を促す入力領域を付加した入力画面データを受信する。
第２ユーザ入力部３ｉは、第５ユーザ受信部３ｈにより受信した入力画面データに付加された入力領域への操作データを入力する。
第２ユーザ送信部３ｊは、第２ユーザ入力部３ｉにより入力された操作データを物品管理サーバ９に送信する。
第６ユーザ受信部３ｋは、物品管理サーバ９から物品に係わる温度状況を表す温度状況データを受信する。
【００３１】
＜ＧＰＳシステムの構成＞
図６（ａ）は、本発明の一実施形態に係わる物品のＧＰＳシステムの構成を示す図であり、図６（ｂ）は、ＧＰＳ受信部と配送用ユニットとを関連付けて登録するのに用いるユニット機器マスタメンテ画面を示す図である。
ＧＰＳシステム１１０は、ＧＰＳ受信部３７、通信ネットワークＮ１、Ｎ２、物品管理サーバ９、フロントエンドサーバ７、ＧＰＳ情報ファイルＦ１、機器マスタＦ３、トレースファイルＦ７、クライアント端末１、３を備えている。
ＧＰＳ情報ファイルＦ１は、第２記憶部１１ｂに記憶され、ＧＰＳ受信部３７より位置情報を取得して、ユニット番号、計測日付、計測時間、機器コード（ＧＰＳ受信部３７に保持されている固有の機器コード）、緯度、経度を格納する。
【００３２】
機器マスタＦ３は、機器種別、機器コード、ユニット番号を格納する。機器マスタＦ３は、ＧＰＳ受信部３７の機器コードと配送用ユニット１７のユニット番号とを関連付けて登録している基本データである。
なお、図６（ｂ）に示すユニット機器マスタメンテ画面に対して、機器種別として「ＧＰＳ」を入力すると、機器コード、ユニット番号、使用フラグ、更新年月日等が表示される。
そして、現在の業務内容を表すステータスの更新が発生すると、物品管理サーバ９は、ＧＰＳ情報ファイルＦ１（第２記憶部１１ｂ）に記憶されている位置情報とユニット番号を関連付けて、フロントエンドサーバ７に送信し、通信ネットワークＮ１を介してクライアント端末１、３に送信する。
【００３３】
＜温度データ取得システムの構成＞
図７は、本発明の一実施形態に係わる温度データ取得システムの構成を示す図である。
温度データ取得システム１２０は、配送用ユニット１７、通信ネットワークＮ１、Ｎ２、物品管理サーバ９、フロントエンドサーバ７、温度履歴ファイルＦ５、トレースファイルＦ７、クライアント端末１、３を備えている。
温度履歴ファイルＦ５は、第３記憶部１１ｃに記憶され、データロガー４１より温度データを取得して、ユニット番号、日時、温度を格納する。
トレースファイルＦ７は、第４記憶部１１ｄに記憶され、商品コード、日時、シリアル番号、ユニット番号、ステータスを格納する。
そして、業務内容を表すステータスの更新が発生すると、物品管理サーバ９は、温度履歴ファイルＦ５に記憶されている温度データとユニット番号を関連付けて、フロントエンドサーバ７に送信し、通信ネットワークＮ１を介してクライアント端末１、３に送信する。
【００３４】
＜ＧＰＳ情報ファイルの関連付け＞
図８は、本発明の一実施形態に係わる運搬状況データ生成部により処理されるＧＰＳ情報ファイルの関連付けを示すＥＲ図である。
物品管理サーバ９の運搬状況データ生成部９ａは、配送用ユニット１７に備えられたＧＰＳ受信部３７から位置情報を取得して、当該ＧＰＳ受信部３７の機器コードにユニット番号、計測日付、計測時間、緯度、経度を付加してＧＰＳ情報ファイルＦ１を生成して、第２記憶部１１ｂに記憶する。
物品管理サーバ９は、配送用ユニット１７のＰＣ２９により送信される業務内容を表すステータス情報が更新された場合に、第４記憶部１１ｄのトレースファイルＦ７に記憶されている物品コード、日時、シリアル番号毎に、ユニット番号、及びステータス情報を更新する。
物品管理サーバ９の運搬状況データ生成部９ａは、配送用ユニット１７のＰＣ２９により送信される業務内容を表すステータス情報が更新された場合に、データベースＤＢ１１に記憶されているトレースファイルＦ７からシリアル番号、ユニット番号を読み出す。
次に、物品管理サーバ９の運搬状況データ生成部９ａは、ユーザ端末から取得したシリアル番号をキーとして、トレースファイルＦ７から当該シリアル番号に対応するユニット番号を取得する。
さらに、運搬状況データ生成部９ａは、当該ユニット番号をキーとして、第２記憶部１１ｂのＧＰＳ情報ファイルＦ１から当該ユニット番号に対応する計測日付、計測時間、位置情報（緯度、経度）を抽出し、トレーサビリティ（位置情報）画面に位置情報（緯度、経度）を表示する。
【００３５】
＜温度情報ファイルの関連付け＞
図９は、本発明の一実施形態に係わる運搬状況データ生成部により処理される温度情報ファイルの関連付けを示すＥＲ図である。
物品管理サーバ９は、配送用ユニット１７に備えられたデータロガー４１からユニット番号と日時が付加された温度データを受信した場合に、当該ユニット番号に対応する温度履歴ファイルＦ５に温度データを記憶する。
物品管理サーバ９は、配送用ユニット１７のＰＣ２９により送信される業務内容を表すステータス情報が更新された場合に、第４記憶部１１ｄのトレースファイルＦ７に記憶されている物品コード、日時、シリアル番号毎に、ユニット番号、及びステータス情報を更新する。
【００３６】
さらに、物品管理サーバ９は、トレースファイルＦ７に含まれる当該ユニット番号をキーとして、これらのキーを有する温度履歴ファイルＦ５（第３記憶部１１ｃ）から温度データを抽出してシリアル温度履歴ファイルＦ９を更新して生成し、データベースＤＢ１１に記憶する。
この際、物品管理サーバ９は、トレースファイルＦ７に含まれる当該ユニット番号をキーとして、トレースファイルＦ７からステータスを抽出して、シリアル温度履歴ファイルＦ９を更新する。
さらに、物品管理サーバ９は、シリアル温度履歴ファイルＦ９に基づいて、温度履歴確認画面（図２０（ｂ））より結果を表示する。
【００３７】
＜メニュー画面＞
図１０（ａ）は、本発明の一実施形態に係わる配送用ユニットのＰＣ上に表示されるメニュー画面の一例を示す図である。
図１０（ａ）に示すように、配送用ユニット１７のＰＣ２９には、メニュー画面６１として、ユニット設定ボタンＢ１、メーカ出荷業務ボタンＢ３、出荷業務ボタンＢ５、医療機関業務ボタンＢ７、監視・ステータス表示ボタンＢ９が表示される。
【００３８】
＜監視・ステータス表示画面＞
図１０（ｂ）は、本発明の一実施形態に係わる配送用ユニットのＰＣ上に表示される監視・ステータス表示画面を示す図である。
ＰＣ２９において、図１０（ａ）に示す監視・ステータス表示ボタンＢ９が押された場合に、図１０（ｂ）に示す監視・ステータス表示画面６３が表示される。
監視・ステータス表示画面６３には、ユニット情報６３ａとして、ユニットＮｏ、タイプ、更新時間、監視情報として格納容器２５内温度（シッパー内温度）６３ｂが表示されている。
【００３９】
監視・ステータス表示画面６３には、ステータス操作ボタンＢ１２、フェーズ、場所、順序、内容が表示され、さらに実行ボタンＢ１１が表示されている。ステータス操作ボタンＢ１２が押された場合に、場所、順序、業務の内容を変更することができ、実行ボタンＢ１１が押された場合に、配送用ユニット１７のＰＣ２９から物品管理サーバ９に最新の場所、順序、業務の内容が送信される。
さらに監視・ステータス表示画面６３の下方には、監視詳細ボタンＢ１３、商品詳細ボタンＢ１５、温度トレース表印刷ボタンＢ１７、業務初期化ボタンＢ１９が表示されている。
【００４０】
＜印刷範囲画面＞
図１０（ｃ）は、本発明の一実施形態に係わる配送用ユニットのＰＣ上に表示される印刷範囲画面を示す図である。
図１０（ｂ）に示す温度トレース表印刷ボタンＢ１７が押された場合に、図１０（ｃ）に示す印刷範囲指定画面６５が表示される。
印刷範囲指定画面６５には、開始日時を入力するための日付時刻ボックス６５ａ、終了日時を入力するための日付時刻ボックス６５ｂ、印刷ボタンＢ２１、閉じるボタンＢ２３、業務初期化ボタンＢ２５が表示されている。
【００４１】
＜印刷データ編集処理＞
図１１は、本発明の一実施形態に係わる温度トレース表出力のフローチャートである。
ステップＳ１では、配送用ユニット１７のＰＣ２９は、監視・ステータス表示画面（図１０（ｂ））で、ＰＣ２９は、ユーザが温度トレース表印刷ボタンＢ１７を押し下げるとステップＳ３に進む。
ステップＳ３では、ＰＣ２９は、印刷範囲指定画面６５（図１０（ｃ））を表示されるので、印刷範囲指定画面６５から指定範囲を入力して物品管理サーバ９に送信する。この際、ユーザは印刷範囲指定画面６５（図１０（ｃ））が表示され、日付時刻ボックス６５ａに対して開始日時を入力し、日付時刻ボックス６５ｂに対して終了日時を入力し、さらに印刷ボタンＢ２１を押したこととする。
ステップＳ５では、ＰＣ２９は、出荷時に物品管理サーバ９より取得した商品明細情報に基づいて、商品明細部分（図１２（ａ））を編集する（Ａ）。
【００４２】
ステップＳ７では、ＰＣ２９は、商品明細情報に基づいて、商品コードをバーコード（図１２（ｂ））に編集する（Ｂ）。
ステップＳ９では、ＰＣ２９は、ループ処理として商品明細数分繰り返す。
ステップＳ１１では、ＰＣ２９は、商品明細情報に基づいて、ロット、使用期限、シリアル番号をバーコード（図１２（ｃ））に編集する（Ｃ）。
ステップＳ１３では、ＰＣ２９は、商品明細数分繰り返したら、ループ処理を終了してステップＳ１５に進む。
【００４３】
ステップＳ１５では、ＰＣ２９は、物品管理サーバ９は、配送用ユニット１７内のデータロガー４１より指定された範囲の温度データ（Ｒ１）を取得する。
ステップＳ１７では、ＰＣ２９は、取得した温度データに基づいて、グラフ（図１２（ｄ））を編集する（Ｄ）。
ステップＳ１９では、ＰＣ２５は、編集が済んだデータ（Ａ）（Ｂ）（Ｃ）（Ｄ）に基づいて、品質証明書データを編集して、品質証明書データをプリンタ３１に供給して、プリンタ３１から品質証明書３１ａ（図１２）を印刷する。
【００４４】
＜品質証明書＞
図１２（ａ）〜（ｄ）は、本発明の一実施形態に係わる配送用ユニットのプリンタから出力される品質証明書の各部を示す図である。
図１０（ｃ）に示す印刷範囲指定画面６５に含まれる印刷ボタンＢ２１が押された場合に、図１２に示す品質証明書３１ａが印刷される。
図１２に示すように、品質証明書３１ａには、物品コードとして、ロット番号、使用期限、シリアル番号（ａ）などの商品コード（ｂ）、ロット番号、使用期限、シリアル番号などのバーコード（ｃ）、温度グラフ（ｄ）が配置されている。
【００４５】
＜閾値設定＞
図１３は、本発明の一実施形態に係わる閾値設定のシーケンス図である。
ステップＳ２１では、物品管理サーバ９は、マスタ画面より閾値を登録する。
ステップＳ２３では、配送用ユニット１７は、物品管理サーバ９が登録した閾値を通信ネットワークＮ２を介してダウンロードする。
ステップＳ２５では、ダウンロードした閾値を基にして温度情報を監視する。
【００４６】
＜警報発報処理＞
図１４は、本発明の一実施形態に係わる配送用ユニット１７内のＰＣ２９による警報発報処理を表すフローチャートである。
ステップＳ３１では、配送用ユニット１７のＰＣ２９は、監視・ステータス表示画面（図１０（ｂ））を表示する。
ステップＳ３３では、ＰＣ２９は、ＰＣ２９に保持されている温度の監視条件を監視マスタ（図１５）から呼び出す。
ステップＳ３５では、ＰＣ２９は、以下のループ処理を繰り返す。
ステップＳ３７では、ＰＣ２９は、配送用ユニット１７内の商品の保管状態を監視する。監視の結果、ＰＣ２９は、商品が存在すると（ステップＳ３７で存在する）ステップＳ３９に進み、存在しなければ（ステップＳ３７で存在しない）終了する。
ステップＳ３９では、ＰＣ２９は、未判定分の温度データを取得する。
ステップＳ４１では、前回の判定結果を調べて、前回の判定結果が正常（ステップＳ４１で正常）であればステップＳ４３に進み、判定結果が異常（ステップＳ４１で異常）であればステップＳ５１に進む。
【００４７】
ステップＳ４３では、ＰＣ２９は、監視判定を行うため、温度データが監視条件の上限か下限かを判定する。温度データの判定結果が範囲外（ステップＳ４３で範囲外）であれば、ステップＳ４５に進み、範囲内（ステップＳ４３で範囲内）であれば、ステップＳ４９に進む。
ステップＳ４５では、ＰＣ２９は、温度データの判定結果が異常であると判定する。次回からは「復帰判定」を行う。
ステップＳ４７では、ＰＣ２９は、配送用ユニット１７に備え付けられている警報装置３５の警報音を鳴らす。
【００４８】
ステップＳ４９では、ＰＣ２９は、警報発報を繰り返したら、ループ処理を終了してステップＳ３５に進む。
一方、ステップＳ５１では、ＰＣ２９は、復帰判定を行うため、監視条件の上限か下限かを判定する。判定結果が範囲外（ステップＳ５１で範囲外）であれば、ステップＳ４９に進み、範囲内（ステップＳ５１で範囲内）であれば、ステップＳ５３に進む。
テップＳ５３では、ＰＣ２９は、判定結果が正常であると判定する。次回からは「監視判定」を行う。
図１４に示すフローチャートでは、温度データのみの処理フローについて説明したが、同様のフローで残量データ、振動データ、開閉データ、湿度データ、電圧データなど個別に処理する。
【００４９】
＜監視閾値＞
図１５は、本発明の一実施形態に係わる監視閾値のＥＲ図である。
配送用ユニット１７内のＰＣ２９は、監視マスタ２９ａがあり、商品コードごとに、温度上限値、温度下限値、残量上限値、残量下限値、振動上限値、振動下限値、開閉上限値、開閉下限値、湿度上限値、湿度下限値、電圧上限値、電圧下限値、温度発生頻度、残量発生頻度、振動発生頻度、開閉発生頻度、湿度発生頻度、電圧発生頻度が格納されている。この監視マスタから、商品コードに対応した監視閾値を選択して、ＰＣ２９にダウンロードして監視業務を行う。
【００５０】
＜通知機能＞
図１６は、本発明の一実施形態に係わる通知機能のシステム構成を示す図である。
通知機能システム１３０は、倉庫内にある庫内システム７１、倉庫内にある庫内携帯端末７３、配送用ユニット１７、通信ネットワークＮ１、Ｎ２、Ｎ３、物品管理装置（物品管理サーバ９、データベース（ＤＢ）１１、フロントエンドサーバ７）５、クライアント端末１、１３、メール通知端末７５を備えている。
物品管理サーバ９は、倉庫内にある庫内システム７１、倉庫内にある庫内携帯端末７３、又は配送用ユニット１７からトレーサビリティ情報を通信ネットワークＮ３を介して受信すると、それらに情報をデータベース（ＤＢ）１１に格納するとともに、情報を加工してフロントエンドサーバ７に送信する。
フロントエンドサーバ７は、情報の参照を行うための情報を通信ネットワークＮ１を介してクライアント端末１（メーカ）、１３（配送先）に送信する。
また、物品管理サーバ９は、通信ネットワークＮ２を介して監視警告情報を配送用ユニット１７に送信し、ステータス更新の通知をメール通知端末７５に送信する。
【００５１】
＜監視、発報シーケンス＞
図１７は、本発明の一実施形態に係わる監視、発報シーケンス図である。
ステップＳ９１では、配送用ユニット１７は、格納容器２５内の状態を各センサにより監視し、各センサのデータがＰＣ２９により設定された閾値を超えるか否かを判定する。
ステップＳ９３では、ＰＣ２９は、データを判定した結果、データが閾値を超えると警報装置３５を起動して発報するとともに、警告灯を点滅して担当者８１に報知する。
ステップＳ９５では、配送用ユニット１７は、物品管理サーバ９に対して業務内容を表すステータスを更新する。
ステップＳ９７では、物品管理サーバ９は、配信先８３に対してメール配信処理を行う。
ステップＳ９９では、物品管理サーバ９は、配信先８３に対してエラーメールを発報する。これにより、担当者８１が配送用ユニット１７内の異常を即座に認識するとともに、配送先に対しても、どの配送用ユニットが異常であるかを知ることができる。
【００５２】
＜通信途絶処理＞
図１８は、本発明の一実施形態に係わる配送用ユニット１７と物品管理サーバ９との間の通信途絶処理を表すフローチャートである。
ステップＳ６１では、物品管理サーバ９は、ループ処理として配送用ユニット１７の数だけ以下の処理を繰り返す。
ステップＳ６３では、物品管理サーバ９は、配送用ユニット１７の最新の温度データ及び位置データを取得する。
【００５３】
ステップＳ６５では、物品管理サーバ９は、取得データの計測時刻を判定して、前回の計測時刻から今回の計測時刻までの時間が一定時間（例えば、１分）外であればステップＳ６７に進み、一定時間内であれば、ステップＳ６９に進む。
ステップＳ６７では、物品管理サーバ９は、配信先８３に対して通信エラーメールを送る。
ステップＳ６９では、物品管理サーバ９は、配送用ユニット１７の数だけ繰り返したら、ループ処理を終了する。
【００５４】
＜トレーサビリティのシーケンス＞
図１９は、本発明の一実施形態に係わるトレーサビリティのシーケンス図である。
ステップＳ１０１では、物品管理サーバ９は、図２０（ａ）の（１）に示す検索条件入力画面の表示データをユーザ端末１、３に送信する。
ステップＳ１０３では、ユーザ端末１、３は、モニタに表示されている検索条件入力画面に対して、商品、ロット番号、商品に係わるシリアル番号、日付の何れかの条件を入力する。
ステップＳ１０５では、物品管理サーバ９は、条件に一致する対象の一覧を表示する（図２０（ａ）の（２））。
【００５５】
ステップＳ１０７では、ユーザ端末１、３は、モニタに表示されている、図２０（ａ）の（２）に示す画面に対して、画面上の符号８５で示す、表示対象となる商品に係わるシリアル番号が選択されると、そのシリアル番号を物品管理サーバ９に送信する。
ステップＳ１０９では、物品管理サーバ９は、ユーザ端末１、３から受信したシリアル番号をキーとして、データベースＤＢ１１に記憶されているシリアル温度履歴ファイル（Ｆ９）から当該シリアル番号に対応した運搬状況データを生成する（図２０（ｂ）（１））。
【００５６】
さらに、物品管理サーバ９は、当該シリアル番号に対応して、データベースＤＢ１１に記憶されているシリアル温度履歴ファイル（Ｆ９）から更新日時（年月日）、ステータス、ユニット番号、現在地、荷動元、荷動先等を抽出し、運搬履歴データを生成する（図２０（ｂ）（２））。
物品管理サーバ９は、上述した運搬状況データ、運搬履歴データを含むトレーサビリティ概要画面を生成し、当該画面データを送信する（図２０（ｂ））。
ステップＳ１１１では、ユーザ端末１，３は、図２０（ｂ）に示す画面から温度履歴の確認を行う。
【００５７】
ステップＳ１１３では、物品管理サーバ９は、図２０に示す温度履歴情報を表示するための画面データをユーザ端末１，３に送信する。
ステップＳ１１５では、ユーザ端末１，３は、図２０（ｂ）に示すトレーサビリティ詳細画面から位置情報の確認を行う。
ステップＳ１１７では、物品管理サーバ９は、図２３（ａ）（ｂ）に示す位置情報を表示するデータを送信する。
【００５８】
＜温度履歴情報の画面遷移＞
図２０（ａ）、（ｂ）は、本発明の一実施形態に係わる運搬状況データの一例である温度履歴情報の画面遷移図である。
図２０（ａ）の（１）は、検索条件入力画面であり、ユーザ端末１，３は、商品名、ロット番号、シリアル番号、日付の何れかの条件を入力する。
図２０（ａ）の（２）は、検索条件に一致する対象の一覧を表示する図であり、ユーザ端末１，３は、この画面から、表示対象となるシリアル番号を選択する。例えば、ユーザが符号８５で示すシリアル番号を選択したこととする。選択されたシリアル番号（例えば、ＳＥ１７００５Ａ２６）に対応するトレースファイルＦ７が運搬状況データとして図２０（ｂ）の（１）に示すように表示され、図２０（ｂ）の（２）に示す運搬履歴データが表示される。
図２０（ｂ）の（１）（２）は、トレーサビリティ詳細画面を表示する前段階で用いる温度履歴の確認を行うために用いる表示画面を表す図であり、温度履歴の確認ボタンＢ３１を押下すると、温度履歴が表示される。
【００５９】
＜温度履歴グラフ＞
図２１は、本発明の一実施形態に係わる運搬状況データの一例であるユーザ端末に表示される温度履歴のグラフを示す図である。
温度履歴グラフ９１は、入力したロット番号、温度履歴、シリアル番号に対応するグラフであり、縦軸に温度値、横軸に時間を表す。
範囲指定領域９３は、ロット番号、シリアル番号に対応した温度履歴情報に含まれるデータの開始年月日時分から終了年月日時分の範囲を示す。
図２１において、範囲指定領域９３に示す表示開始時期カーソル９３ａ、表示終了時期カーソル９３ｂをマウス操作により移動することで、表示範囲を指定して、グラフ９１の時間軸（横軸）が伸縮自在に可変でき、温度履歴についての表示の自由度を時間軸方向に広げることができる。
【００６０】
＜位置情報の遷移＞
図２２（ａ）、（ｂ）は、本発明の一実施形態に係わる運搬状況データの一例である位置情報の画面遷移図である。
図２２（ａ）の（１）は、検索条件入力画面であり、ユーザ端末１、３は、商品、ロット番号、シリアル番号、日付の何れかの条件を入力する。
図２２（ａ）の（２）は、検索条件に一致する対象の一覧を表示する図であり、ユーザ端末１、３は、この画面から、表示対象となるシリアル番号を選択する。
図２２（ｂ）は、位置情報の確認を行う図であり、位置情報の確認ボタンＢ３３を押下すると位置情報が表示される。
【００６１】
＜位置情報を含む地図画面＞
図２３（ａ）、（ｂ）は、本発明の一実施形態に係わる運搬状況データの一例である位置情報を含む地図画面を示す図である。
図２３（ａ）は、位置情報を含む地図画面を示す図であり、図２３（ｂ）は、位置情報を含む地図画面の詳細図である。
【００６２】
＜位置処理のトレーサビリティ＞
図２４は、本発明の一実施形態に係わる物品管理サーバによる位置処理のトレーサビリティのフローチャートである。
ステップＳ７１では、物品管理サーバ９は、画面表示対象のシリアル番号に関連した全経路の位置データを取得する。すなわち、物品管理サーバ９は、当該シリアル番号を有する物品を搭載した配送用ユニット１７のユニット番号及び日時をシリアル温度履歴ファイルＦ９から抽出し、第２記憶部１１ｂのＧＰＳ情報ファイルＦ１から当該ユニット番号及び当該日時に対応する位置データ（緯度・経度）を抽出する。
ステップＳ７３では、物品管理サーバ９は、ループ処理として経路内の区間の数だけ繰り返す。
【００６３】
ステップＳ７５では、物品管理サーバ９は、区間の時間帯に該当する位置データを取得する。
ステップＳ７７では、物品管理サーバ９は、経路内の区間の数だけ繰り返したら、ループ処理を終了してステップＳ７９に進む。
ステップＳ７９では、物品管理サーバ９は、取得した位置データに基づいて画面を描画する（図２３）。
【００６４】
＜経路分割＞
図２５は、本発明の一実施形態に係わる経路分割のＥＲ図である。
物品管理サーバ９は、プロジェクトマスタ画面より入力して、出発地点、商品コード、到着地点、経由地を付加してプロジェクトマスタＦ１１を生成する。
物品管理サーバ９は、業務定義マスタ画面より入力して、場所、商品コード、業務ＩＤを付加して業務定義マスタＦ１３を生成する。
物品管理サーバ９は、出発地点、商品コード、到着地点をキーとして、プロジェクトマスタＦ１１から経由地を抽出し、場所、商品コードをキーとして、業務定義マスタＦ１３から業務ＩＤを抽出し、出発地点、経由地、到着地点の業務ＩＤをそれぞれ取得する。
【００６５】
＜経路分割シーケンス＞
図２６は、本発明の一実施形態に係わる経路分割シーケンス図である。
ステップＳ８１では、物品管理サーバ９は、マスタ画面より経路及び、経路に係わる業務情報を登録し、経路及び、経路に係わる業務情報を配送用ユニット１７に送信する。
ステップＳ８５では、配送用ユニット１７は、物品管理サーバ９が登録した経路及び、経路に係わる業務を通信ネットワークＮ２を介してダウンロードする。
ステップＳ８７では、配送用ユニット１７は、ダウンロードした経路に係わる業務情報を基にして業務の更新処理を行い、物品管理サーバ９へ業務の更新状況を送信する。
ステップＳ８３では、物品管理サーバ９は、業務の更新状況の登録と更新を行う。
【００６６】
＜本実施形態の態様例の作用、効果のまとめ＞
＜第１態様＞
本態様の配送管理システム１００は、収容した物品を冷媒により冷却する容器を配送する為の配送用ユニット１７と、通信ネットワークＮ１、Ｎ２、Ｎ３を介して運搬中の配送用ユニット１７と通信する物品管理サーバ９と、を備えた配送管理システム１００であって、配送用ユニット１７は、複数のＧＰＳ衛星から夫々のＧＰＳ信号を受信するとともに、夫々のＧＰＳ信号に基づいて位置データを算出して、位置データに固有の機器コードを付加して物品管理サーバ９に送信するＧＰＳ受信部３７と、格納容器２５内の温度を測定する温度計Ｓｅ１と、温度計Ｓｅ１により測定された温度データを時系列に沿って記憶する第１記憶部４１ａと、第１記憶部４１ａから取得した温度データに配送用ユニット１７に係わるユニット番号を付加して定期的、又は／及び、不定期に通信ネットワークＮ２を介して物品管理サーバ９に送信する無線ルータ２７と、を備え、物品管理サーバ９は、ＧＰＳ受信部３７から受信した位置データと機器コードを関連付けてＧＰＳ情報ファイルＦ１に記憶する第２記憶部１１ｂと、配送用ユニット１７から定期的、又は／及び、不定期に受信した温度データをユニット番号毎に関連付けて温度履歴ファイルＦ５に記憶する第３記憶部１１ｃと、ユニット番号と物品に係わるシリアル番号を関連付けてトレースファイルＦ７に記憶する第４記憶部１１ｄと、あるユニット番号と機器コードの一組をキーとして、機器コードに対応して第２記憶部１１ｂのＧＰＳ情報ファイルＦ１から取得（図８、ステップＳ７１）した位置データ、及びユニット番号に対応して第３記憶部１１ｃの温度履歴ファイルＦ５から取得（図９）した温度データ、ユニット番号に対応して第４記憶部１１ｄのトレースファイルＦ７から取得（図９）したシリアル番号に基づいて、運搬中の物品のシリアル番号、位置データ及び温度データを表す運搬状況データを生成する運搬状況データ生成部９ａと、を備えたことを特徴とする。
本態様によれば、物品管理サーバ９は、あるユニット番号と機器コードの一組をキーとして、機器コードに対応して取得した位置データ、及びユニット番号に対応して取得した温度データ、ユニット番号に対応して取得したシリアル番号に基づいて、運搬中の物品のシリアル番号、位置データ及び温度データを表す運搬状況データを生成することにより、物品の運搬中に容器内の環境から取得した環境履歴を提供するとともに、物品の運搬ルート等を含む運搬状況を把握して、リアルタイムに物品の品質管理を行うことができる。
このため、配送先から納品先までの物品の運搬状況が明確になり、品質管理を更にきめ細かくリアルタイムに管理することができる。
【００６７】
＜第２態様＞
本態様の配送用ユニット１７は、冷媒の残量に係わる残量データを測定する残量計Ｓｅ２、路面から容器に加わる振動に係わる振動データを測定する振動計Ｓｅ３、格納容器２５内の湿度に係わる湿度データを測定する湿度計Ｓｅ５、又は、容器に設けられた蓋の開閉回数データを計数する開閉センサＳｅ４の少なくとも１つを備え、第１記憶部４１ａは、温度データに、残量データ、振動データ、湿度データ、又は開閉回数データの少なくとも１つと、日時データを付加して記憶することを特徴とする。
本態様によれば、配送用ユニット１７内の温度データに、冷媒の残量、振動、湿度、又は容器の開閉数の少なくとも１つと、日時データを付加して第１記憶部４１ａに記憶することで、配送用ユニット１７内の運搬中の状況を日時単位で確認することができる。このため、配送中、或いは配送後に必要に応じてデータを読み取ることができる。
【００６８】
＜第３態様＞
本態様の配送用ユニット１７は、第１記憶部４１ａから取得した温度データ及び日時データに加えて、残量データ、振動データ、湿度データ、又は開閉回数データの少なくとも１つに基づいて、当該物品に係わる品質データを生成する品質証明書３１ａと、シリアル番号、及び品質データを含む画像を記録媒体に印刷することにより品質証明書を作成するプリンタ３１と、を備えたことを特徴とする。
本態様によれば、物品に係わるシリアル番号、及び品質データに基づいて、配送中に物品を収容する格納容器２５内の冷却環境に係わる時系列に沿った品質を表すグラフ画像を含む品質証明書に係わる印刷データを編集して、記録媒体に印刷することにより、品質証明書３１ａを作成することで、品質証明書３１ａを発行することができる。このため、配送先は物品を収容する容器を受け取った時点で、品質証明書３１ａを目視することで、容器内の冷却環境に係わる時系列に沿った品質をその場で直ちに確認することができる。
【００６９】
＜第４態様＞
本態様の配送用ユニット１７は、温度データ、残量データ、振動データ、湿度データ、開閉回数データのそれぞれに係わる閾値を設定する第１閾値設定部４７と、第１閾値設定部４７により設定された閾値よりも、温度データ、残量データ、振動データ、湿度データ、開閉回数データの少なくとも１つが危険値側に移行している場合に、警報音を発生する警報装置３５と、を備えたことを特徴とする。
本態様によれば、配送用ユニット１７内の各センサデータに閾値を設定して、各閾値が危険値に達すると、警報を発生することができる。このため、物品の種類或いは重要度に応じて閾値を個別に設定可能となるばかりでなく、配送先或いは納品先で物品が異常状態に達したことを即座に認識することができる。
【００７０】
＜第５態様＞
本態様の配送用ユニット１７は、警報装置３５が警報音を発生した場合に、警報音を発生した旨のメッセージを含む電子メールを関係者の端末に送信することを特徴とする。
本態様によれば、配送用ユニット１７内の物品に異常が発生したことを、メッセージを含む電子メールで関係者の端末に送信することができるので、異常が発生した物品の状況を関係者と共有化することができる。
【００７１】
＜第６態様＞
本態様の配送用ユニット１７は、警報装置３５が警報音を発生した場合に、警報音を発生した旨の情報を物品管理サーバに送信することを特徴とする。
本態様によれば、配送用ユニット１７内の物品に異常が発生した旨の情報を、物品管理サーバに送信することができるので、異常が発生した物品の状況を物品管理サーバが一括管理することができる。
【００７２】
＜第７態様＞
本態様の物品管理サーバ９は、配送用ユニット１７から定期的、又は／及び、不定期に受信している温度データ及び位置データに係わる受信済データが通信エラーになったか否かを判定する通信エラー判定部９ｂと、通信エラー判定部９ｂにより通信済みデータが通信エラーであると判定された場合に、通信エラーが発生した旨のメッセージを含む電子メールを端末に送信する通信エラー送信部９ｇと、を備えたことを特徴とする。
本態様によれば、物品管理サーバ９は、受信済データが通信エラーであると判定すると、その旨のメッセージを含む電子メールを端末に送信することができるので、各端末は受信済みデータの信憑性を把握することができる。
【００７３】
＜第８態様＞
本態様の物品管理サーバ９は、物品に係わるシリアル番号を入力するための入力画面データを生成する第１入力画面データ生成部９ｃと、第１入力画面データ生成部９ｃにより生成された入力画面データをユーザ端末に配信する第１配信部７ａと、を備え、運搬状況データ生成部９ａは、ユーザ端末から受信したシリアル番号をキーとして、運搬状況データを生成し、第１配信部７ａは、運搬状況データ生成部９ａにより生成された運搬状況データをユーザ端末３に配信することを特徴とする。
本態様によれば、物品管理サーバ９は、ユーザ端末から受信したシリアル番号をキーとして、運搬状況データを生成してユーザ端末３に配信するので、各ユーザ端末３は夫々の物品の運搬状況をリアルタイムに確認することができる。
【００７４】
＜第９態様＞
本態様の物品管理サーバ９は、第２記憶部１１ｂから取得した位置データに基づいて、当該物品に係わる運搬経路を地図データ上に合成した運搬経路地図データを生成する運搬経路データ生成部９ｄを備え、第１配信部７ａは、運搬経路データ生成部９ｄにより生成された運搬経路地図データをユーザ端末３に配信することを特徴とする。
本態様によれば、物品管理サーバ９は、物品に係わる運搬経路を地図データ上に合成した運搬経路地図データを生成してユーザ端末３に配信するので、ユーザ端末３は、物品の詳細な運搬経路を確認することができる。
【００７５】
＜第１０態様＞
本態様の物品管理サーバ９は、運搬状況データ生成部９ａにより生成された運搬状況データを記憶する第５記憶部１１ｅと、物品に係わる温度状況についての確認を促す入力領域を付加した入力画面データを生成する第２入力画面データ生成部９ｅと、第２入力画面データ生成部９ｅにより生成された入力画面データをユーザ端末３に配信する第２配信部７ｂと、ユーザ端末３において入力画面データに付加された入力領域への操作データをユーザ端末３から受信する第１受信部９ｊと、第１受信部９ｊにより受信した操作データに応じて、シリアル番号をキーとして、第５記憶部１１ｅから取得した物品に係わる温度データに基づいて、温度状況を表す温度状況データを生成する温度状況データ生成部９ｆと、温度状況データ生成部９ｆにより生成された温度状況データをユーザ端末３に配信する第３配信部７ｃと、を備えたことを特徴とする。
本態様によれば、物品管理サーバ９は、物品に係わる温度状況についての確認を促す入力領域を付加した入力画面データを生成してユーザ端末３に配信することにより、ユーザ端末３は、受信した操作データに応じて、シリアル番号をキーとして、物品に係わる温度データに基づいて、温度状況を表す温度状況データを生成するので、より詳細に物品の品質管理を行うことができる。
【００７６】
＜第１１態様＞
本態様のユーザ端末３は、物品管理サーバ９から入力画面データを受信する第１ユーザ受信部３ａと、第１ユーザ受信部３ａにより受信した入力画面データに物品に係わるシリアル番号を入力する第１ユーザ入力部３ｂと、第１ユーザ入力部３ｂにより入力されたシリアル番号を物品管理サーバ９に送信する第１ユーザ送信部３ｃと、物品管理サーバ９から物品に係わる運搬状況データを受信する第２ユーザ受信部３ｄと、第２ユーザ受信部３ｄにより受信した運搬状況データを表示するユーザ表示部３ｅと、を備えたことを特徴とする。
本態様によれば、ユーザ端末３は、物品管理サーバ９から入力画面データを受信し、受信した入力画面データに物品に係わるシリアル番号を入力して物品管理サーバ９に送信することにより、物品に係わる運搬状況データを受信して表示するので、シリアル番号の入力だけで物品の運搬状況を確認することができる。
【００７７】
＜第１２態様＞
本態様のユーザ端末３は、物品管理サーバ９から運搬経路地図データを受信する第３ユーザ受信部３ｆを備え、ユーザ表示部３ｅは、第３ユーザ受信部３ｆにより受信した運搬経路地図データを表示することを特徴とする。
本態様によれば、ユーザ端末３は、物品管理サーバ９から運搬経路地図データを受信して、その内容を表示することができるので、ユーザ端末３は、物品の詳細な運搬経路を確認することができる。
【００７８】
＜第１３態様＞
本態様のユーザ端末３は、物品管理サーバ９から物品に係わる最新の温度データが付加された運搬状況データを受信する第４ユーザ受信部３ｇを備え、ユーザ表示部３ｅは、第４ユーザ受信部３ｇにより受信した運搬状況データを表示することを特徴とする。
本態様によれば、ユーザ端末３は、物品管理サーバ９から物品に係わる最新の温度データが付加された運搬状況データを受信して、その運搬状況データを表示することができるので、物品の運搬状況時の温度変化を併せて確認することができる。
【００７９】
＜第１４態様＞
本態様のユーザ端末３は、物品管理サーバ９から物品に係わる温度状況についての確認を促す入力領域を付加した入力画面データを受信する第５ユーザ受信部３ｈと、第５ユーザ受信部３ｈにより受信した入力画面データに付加された入力領域への操作データを入力する第２ユーザ入力部３ｉと、第２ユーザ入力部３ｉにより入力された操作データを物品管理サーバ９に送信する第２ユーザ送信部３ｊと、物品管理サーバ９から物品に係わる温度状況を表す温度状況データを受信する第６ユーザ受信部３ｋと、を備え、ユーザ表示部３ｅは、受信した物品に係わる温度状況を表す温度状況データを表示することを特徴とする。
本態様によれば、ユーザ端末３は、入力画面データを物品管理サーバ９から受信して、そのデータに入力領域への操作データを入力して物品管理サーバ９に送信するとともに、物品管理サーバ９から受信した温度状況データを表示するので、物品の温度状況をより詳細にユーザ端末３から指示することができる。
【００８０】
＜第１５態様＞
本態様の物品管理サーバ９は、物品の配送に係わる出発地点から到着地点に至る全経路を配送に係わる業務毎の区間に分割する経路分割部９ｍと、経路分割部９ｍにより分割された各区間に対して、温度データ、残量データ、振動データ、湿度データ、開閉回数データのそれぞれに係わる閾値をマスタテーブル１１に設定する第２閾値設定部９ｐと、ＧＰＳ受信部３７により算出された位置データに基づいて、マスタテーブルから当該位置に対応した各閾値を取得する閾値取得部９ｒと、閾値取得部９ｒにより取得した各閾値よりも、温度データ、残量データ、振動データ、湿度データ、開閉状態データの少なくとも１つが危険領域にある場合には、警報音を発生する第２発報部９ｎと、を備えたことを特徴とする。
本態様によれば、物品管理サーバ９は、出発地点から到着地点に至る全経路を配送に係わる業務毎の区間に分割し、各区間に対して、温度データ、残量データ、振動データ、湿度データ、開閉回数データのそれぞれに係わる閾値をマスタテーブル１１に設定し、ＧＰＳ受信部３７により算出された位置データに基づいて、マスタテーブルから当該位置に対応した各閾値を取得して、設定した閾値よりも危険領域にある場合に警報音を発するので、どの区間で物品に異常が発生したかを即座に判断することができる。
【００８１】
＜第１６態様＞
本態様の配送管理方法は、収容した物品を冷媒により冷却する容器を配送する為の配送用ユニット１７と、通信ネットワークＮ２を介して運搬中の配送用ユニットと通信する物品管理サーバ９と、を備えた配送管理システムによる配送管理方法であって、配送用ユニット１７は、複数のＧＰＳ衛星から夫々のＧＰＳ信号を受信するとともに、夫々のＧＰＳ信号に基づいて位置データを算出して、位置データに固有の機器コードを付加して物品管理サーバ９に送信するＧＰＳ受信ステップと、容器内の温度を測定する温度測定ステップと、第１記憶ステップから取得した温度データに配送用ユニットに係わるユニット番号を付加して定期的、又は／及び、不定期に通信ネットワークを介して物品管理サーバに送信する第１送信ステップと、を実行し、本態様の物品管理サーバ９は、温度測定ステップにより測定された温度データを時系列に沿って記憶する第１記憶ステップと、ＧＰＳ受信ステップから受信した位置データと機器コードを関連付けて記憶する第２記憶ステップと、配送用ユニットから定期的、又は／及び、不定期に受信した温度データをユニット番号毎に関連付けて記憶する第３記憶ステップと、ユニット番号と物品に係わるシリアル番号を関連付けて記憶する第４記憶ステップと、あるユニット番号と機器コードの一組をキーとして、機器コードに対応して第２記憶ステップから取得した位置データ、及びユニット番号に対応して第３記憶ステップから取得した温度データ、ユニット番号に対応して第４記憶ステップから取得したシリアル番号に基づいて、運搬中の物品のシリアル番号、位置データ及び温度データを表す運搬状況データを生成する運搬状況データ生成ステップと、を実行することを特徴とする。
本態様によれば、車両２１に搭載され、冷媒を封入した格納容器２５に物品を収容して配送する配送用ユニット１７と、通信ネットワークＮ１、Ｎ２、Ｎ３を介して配送用ユニット１７と通信する物品管理サーバ９と、を備えることにより、物品の運搬中に容器内の環境から取得した環境履歴を提供するとともに、物品の運搬ルート等を含む運搬状況を把握して、リアルタイムの物品の品質管理を行うことができる。このため、配送先から納品先までの物品の運搬状況が明確になり、品質管理を更にきめ細かく、リアルタイムに管理することができる。
【００８２】
＜第１７態様＞
本態様のプログラムは、請求項１６に記載された配送管理方法における各ステップをプロセッサに実行させることを特徴とする。
本態様によれば、各ステップをプロセッサに実行させることができる。このため、配送先から納品先までの物品の運搬状況が明確になり、品質管理を更にきめ細かく、リアルタイムに管理することができる。
【符号の説明】
【００８３】
１…クライアント端末（メーカ）、３…クライアント端末（配送先）、５…物品管理装置、７…フロントエンドサーバ、９…物品管理サーバ、１７…配送用ユニット、１９…物流管理サーバ、２１…車両、２３…タグ、２７…無線ルータ、２９…ＰＣ、３１…プリンタ、３３…バッテリ、３５…警報装置、３７…ＧＰＳ受信部、３９…バーコードリーダ、Ｓｅ１…温度計、Ｓｅ２…残量計、Ｓｅ３…振動計、Ｓｅ４…開閉センサ、Ｓｅ５…湿度計、Ｓｅ６…電圧検知センサ、Ｓｅ７…電圧検知センサ、Ｎ１〜Ｎ３…ネットワーク
【図１】
2020003371.tif 000003
【図２】
2020003371.tif 000004
【図３】
2020003371.tif 000005
【図４】
2020003371.tif 000006
【図５】
2020003371.tif 000007
【図６】
2020003371.tif 000008
【図７】
2020003371.tif 000009
【図８】
2020003371.tif 000010
【図９】
2020003371.tif 000011
【図１０】
2020003371.tif 000012
【図１１】
2020003371.tif 000013
【図１２】
2020003371.tif 000014
【図１３】
2020003371.tif 000015
【図１４】
2020003371.tif 000016
【図１５】
2020003371.tif 000017
【図１６】
2020003371.tif 000018
【図１７】
2020003371.tif 000019
【図１８】
2020003371.tif 000020
【図１９】
2020003371.tif 000021
【図２０】
2020003371.tif 000022
【図２１】
2020003371.tif 000023
【図２２】
2020003371.tif 000024
【図２３】
2020003371.tif 000025
【図２４】
2020003371.tif 000026
【図２５】
2020003371.tif 000027
【図２６】
2020003371.tif 000028
【国際調査報告】
2020003371.tif 000029
2020003371.tif 000030
2020003371.tif 000031
2020003371.tif 000032